(57)【要約】      （修正有）【課題】チェーンの運動時に運動不順や断裂を回避し、線形レールの使用効率を増加させる線形レール循環装置の提供。【解決手段】滑座の両側にそれぞれ上通孔と下通孔を設けたもので、本考案の循環装置には複数の上循環構造、複数の中循環構造と複数の下循環構造が包括される。すべての上循環構造は一体成形されており、上仕切り板、第一上半パイプ、中保持器と第二上半パイプを包括し、上通孔と下通孔を貫いている。また、すべての下循環構造は一体成形で、下仕切り板、第二下半パイプと上通孔と下保持器を包括し、下通孔を貫き、複数の上通孔と下通孔の上循環構造、中循環構造と下循環構造が設けられ、両端のカバーはそれぞれ滑座の両端に設けられ、上循環構造、中循環構造と下循環構造に固定される。【選択図】図４
0003118083.tif 000002
【実用新案登録請求の範囲】
【請求項１】
線形レールの循環装置であって、当該線形レールの滑座に装着され、滑座の両側にはそれぞれ上通孔と下通孔があり、当該の循環装置は、
複数の上循環構造であって、それぞれ当該上通孔の両端に設け、すべての当該上循環構造はいずれも上仕切り板を包括し、当該の上仕切り板の両端はそれぞれ第一上半パイプは上保持器まで伸びており、当該第一上半パイプは当該上通孔で取り付けられた、上記複数の上循環構造と、
複数の中縦貫構造であって、それぞれ当該上通孔の両端に設け、すべての当該中循環構造はいずれも中仕切り板を包括し、当該の中仕切り板の両端はそれぞれ第一下半パイプと第二上半パイプまで伸びており、当該中仕切りのもう一方は中保持器まで伸びており、当該第一下半パイプと当該の第二上半パイプはそれぞれ当該上通孔と当該下通孔で取付けられている、上記複数の中縦貫構造と、
複数の下循環構造であって、それぞれ当該下通孔の両端に設け、すべての当該下循環構造はいずれも下仕切り板を包括し、当該の下仕切り板の両端はそれぞれ第一下半パイプは下保持器まで伸びており、当該第二下半パイプは当該下通孔で取り付けられている、上記複数の下循環構造と、
第一端カバーであって、当該滑座の一端に設けられ、当該上循環構造、当該中循環構造と当該下循環構造に固定される、上記第一端カバーと、
第二端カバーであって、当該滑座のもう一端に設けられ、当該上循環構造、当該中循環構造、当該下循環構造に固定する、上記第二端カバーと、
複数のチェーンであって、それぞれ当該上通孔と当該下通孔の当該上循環構造をつなぎ、当該中循環構造と当該下循環構造を連結する、上記複数のチェーンと、
を包含したことを特徴とする、線形レールの循環装置。
【請求項２】
請求項１記載の線形レールの循環装置において、当該複数の上循環構造が第一上循環構造、第二上循環構造、第三上循環構造と第四上循環構造を包含し、当該第一上循環構造と第二上循環構造は当該上通孔の一端に接続され、当該第三上循環構造と第四上循環構造は当該上通孔のもう一方に接続されたことを特徴とする、線形レールの循環装置。
【請求項３】
請求項２記載の線形レールの循環装置において、そのうち第一上循環構造と第二上循環構造の当該第一上半パイプと当該上保持器に固定槽が設けられ、当該第三上循環構造と第四上循環構造に当該第一上半パイプと当該上保持器に対応して少なくとも一つの固定柱が設けられ、当該固定柱が固定槽に挿入されることを特徴とする、線形レールの循環装置。
【請求項４】
請求項１記載の線形レールの循環装置において、そのうち当該複数の中循環構造が第一中循環構造、第二中循環構造、第三中循環構造と第四中循環構造を包含し、当該第一中循環構造と第二中循環構造は当該の上通孔と当該の下通孔の一端に設けられ、当該中第三循環構造と当該第四中循環構造は当該上通孔と当該下通孔のもう一方に接続されることを特徴とする、線形レールの循環装置。
【請求項５】
請求項４記載の線形レールの循環装置において、そのうち当該第一中循環構造が第二中循環構造の当該第一下半パイプ、当該第二上半パイプと当該中保持器を包含し、それぞれ少なくとも固定槽が設けられ、当該第三中循環構造と第四中循環構造に当該第一下半パイプ、当該第二上半パイプと当該中保持器に対応する少なくとも一つの固定柱が設けられ、当該固定柱は固定槽に挿入されることを特徴とする、線形レールの循環装置。
【請求項６】
請求項１記載の線形レールの循環装置において、そのうち当該複数の下循環が第一下循環構造、第二下循環構造、第三下循環構造と第四下循環構造を包含し、当該第一下循環構造と第二下循環構造は当該下通孔の一端に接続され、当該第三下循環構造と当該第四下循環構造は当該下通孔のもう一方に接続されたことを特徴とする、線形レールの循環装置。
【請求項７】
請求項６記載の線形レールの循環装置において、そのうち当該第一下循環構造が第二下循環構造の当該第一下半パイプ、当該下保持器を包含し、それぞれ固定槽が設けられ、当該第三下循環構造と第四下循環構造に当該第二下半パイプと当該下保持器に対応して少なくとも一つの固定柱が設けられ、当該固定柱は固定槽に挿入されることを特徴とする、線形レールの循環装置。
【請求項８】
請求項１記載の線形レールの循環装置において、そのうち当該中循環構造の当該中仕切り板が下誘導板を包含し、当該下誘導板は上誘導板にまで伸びており、当該下誘導板と当該上誘導板の一端はそれぞれ当該第一下半パイプと第二上半パイプにまで伸び、当該下誘導板と当該上誘導板のもう一端は当該中保持器にまで伸びていることを特徴とする、線形レールの循環装置。
【請求項９】
請求項１記載の線形レールの循環装置において、そのうち当該端カバーと当該第二端カバーにそれぞれ複数の容置槽が設けられ、それぞれ当該上仕切り板、当該中仕切り板と当該下仕切り板が設置されたことを特徴とする、線形レールの循環装置。
【請求項１０】
請求項１記載の線形レールの循環装置において、そのうち第一端カバーと第二端カバーにそれぞれ複数の上限位槽と複数の下限位槽が設けられ、当該複数の上循環構造の当該上保持器の両端がそれぞれ第一端カバーと当該第二端カバーの当該上限位槽と当該の複数下循環構造の当該下保持器の両端に接続され、それぞれ第一端カバーと当該第二端カバーの当該下限位槽に挿入されることを特徴とする、線形レールの循環装置。
【請求項１１】
請求項１記載の線形レールの循環装置において、そのうち当該第一端カバー、当該第二端カバー、当該中循環構造と当該滑座にそれぞれ少なくとも一つのネジ孔が設けられ、複数のネジでネジ孔に固定され、第一端カバー、第二端カバーと当該中循環構造がネジで当該滑座に接続されたことを特徴とする、線形レールの循環装置。
【請求項１２】
請求項１記載の線形レールの循環装置において、そのうち当該第一端カバーと当該第二端カバーの外側にそれぞれ防塵板が設けられたことを特徴とする、線形レールの循環装置。
【請求項１３】
請求項１記載の線形レールの循環装置において、そのうち当該上循環構造の当該上仕切り板、当該第一上半パイプと当該保持器は一体成形で、当該中循環構造の当該中仕切り板と当該第一下半パイプ、当該第二上半パイプと当該中保持器は一体成形で、当該下循環構造の当該下仕切り、当該第二下半パイプと当該下保持器は一体成形となっていることを特徴とする、線形レールの循環装置。
【考案の詳細な説明】
【技術分野】
【０００１】
本考案は循環装置の一種に関するもので、特別に一種の線形レール循環装置を指すもので、そこでは組み合わせ断面の差の発生を回避でき、チェーンが線形レールの起動時に発生する不順と断裂を裂け、線形レールの運営効率を向上させるものである。
【背景技術】
【０００２】
現在の線形レールの種類は多く、使用もかなり普及している。しかし周知の現行のレールのチェーン循環装置は煩雑で、容易に断面を形成しやすく、チェーン運動の順調さに影響を及ぼすばかりでなく、ひいてはチェーン断裂の状況さえ発生する。煩雑さゆえに組み合わせの効率を低減させ、生産効率にも影響している。
【０００３】
図１を参照されたし。これは周知の線形レールの分解図である：ここで示されたとおり、周知の線形レールには滑座１０が包括され、その装着にはチェーン循環装置があり、チェーン循環装置には複数の仕切り板パイプ、上保持器３２、二つの中保持器３３，３４、二つの下保持器３５、３６と二つの端カバー４１、４２が包括され、滑座１０の両側にそれぞれ上通孔１２、１４と下通孔１６、１８が設けられている。複数の仕切り板パイプには第一仕切り板パイプ２１、第二仕切りパイプ２２、第三仕切りパイプ２３と第四仕切りパイプ２４が包括され、第一仕切り板２１は滑座１０にも受けられ、側面の孔１２と下通孔１６の一端を貫き、第二仕切り板パイプ２２は滑座１０を貫きもう一方の上通孔１４と下通孔１８の一端を貫く。すなわち第一仕切り板パイプ２１と第二仕切り板パイプ２２はそれぞれ滑座１０の両側の一端に設けられており、第三仕切り板パイプ２３と第四仕切り板パイプ２４は相対して滑座１０の両側の一端に設けられている。
【０００４】
仕切り板パイプ２１、２２、２３、２４はいずれも仕切り板２５と二つの半パイプ２６を包括し、仕切り板２５は上誘導槽とした誘導槽に設けており、いずれの仕切り板パイプ２１、２２、２３、２４の仕切り板２５と半パイプ２６は一体成形されており、第一仕切り板パイプ２１の二つの半パイプ２６はそれぞれ上通孔１２と下通孔１６の一端に設けられており、また第三仕切り板パイプ２３の二つの半パイプ２６はそれぞれ上通孔１２と下通孔１６のもう一端に設けられており、第一仕切り板パイプ２１と第三仕切り板パイプ２３の半パイプ２６と配合している。同じく上述の第二仕切り板パイプ２２と第四仕切り板パイプ２４の半パイプ２６は配合し、複数のチェーン５０はそれぞれ仕切り板パイプ２１、２２、２３、２４の二つの半パイプ２６を貫いている。
【０００５】
第一中保持器３３の一端は第一仕切り板パイプ２１の仕切り板２５に設けられた中限位槽２７に挿入され、第一中保持器２５は中限位槽２９に設けられ、第二中保持器３４の両端は上述と同じく、それぞれ第二仕切り板パイプ２２の仕切り板２５と第四仕切り板パイプ２４の仕切り板２５に挿入し、第一下保持器３５と第二下保持器３６の一端はそれぞれ端カバー４２に設けられた下限位槽４３，４４に挿入され、第一保持器３５と第二下保持器３６のもう一端はそれぞれ端カバー４１の相対するところの下限位槽に設けられ、上保持器３２の一端はそれぞれ端カバー４２の相対するところの上限位槽４５、４６に設けられ、また上保持器３２のもう一端はそれぞれ端カバー４１に相対する上限位槽に挿入する。
【０００６】
しかし、これまでの繊維レールのチェーン循環装置は組み合わせるときに断面が生じやすく、図２で示したとおり、第一中保持器３３は第一仕切り板パイプ２１の仕切り板２５に設けた後、第一中保持器３３と仕切り板２５のあいだには断面差が生じる。このようにチェーン５０が運動する時、断面が発生しやすく、運動不順の問題も生じやすく、線形レールの正常な運行に影響する。図で示したとおり、組み合わせの断面差はチェーン５０の曲がる箇所にあり、このため影響はより顕著である。このほか、はなはだしい場合は組み合わせ断面差が過度に大きいためチェーン５０が断面に引っかかり断裂が生じてしまう。もし断面差の問題を解決するなら、より順調にチェーンの運動を導くことで、チェーン５０のもたらす断裂を避けることが可能になる。
【０００７】
このため、本考案では線形レールの循環装置の一種を提供し、循環装置の組み立て時、生まれる断面差を回避し、チェーンとレールのあいだで生まれる引っ掛かりを回避し、チェーン運動の順調さを引上げ、チェーンによる断裂の発生を低減させることで、線形レールの使用効率を上昇させることで、上述の問題を解決している。
【考案の開示】
【考案が解決しようとする課題】
【０００８】
本考案の主な目的は、線形レールの循環装置の一種を提供することで、そのチェーンの曲がる箇所において組み合わせ断面差をなくし、チェーンの運動時に運動不順や断裂の問題が生じるのを回避し、線形レールの使用効率を増加させる。
【０００９】
本考案のもう一つの目的は、線形レールの循環装置の一種を提供することで、その装着は簡単で、装着効率を向上させ、生産効率も向上させることにある。
【００１０】
本考案の線形レール循環装置は、線形レールの滑座に設けられ、滑座の両側にはそれぞれ上通孔と下通孔があり、本考案の循環装置にそれぞれある上通孔と下通孔の両側に複数の上循環構造、複数の中循環構造と複数の下循環構造があり、線形レールの複数チェーンが上循環構造、中循環構造と下循環構造を貫いている。本考案の循環構造は、両端カバーを包括し、それぞれ滑座の両端に設けられ、上循環構造、中循環構造とした循環構造を固定しており、すべての上循環構造は一体成形されており、上仕切り板、上半パイプと上保持器を包括し、第一上半パイプは上通孔を通っており、すべての中循環構造はいずれも一体成形されており、これに中仕切り板が含まれる。下半パイプ、第二上半パイプと中保持器は、第一下半パイプと第二上半パイプはそれぞれ上通孔と下通孔を貫いており、全ての第一循環構造は一体成形されており、ここには下仕切り板、第二下半パイプと下保持器が包括される。第二下半パイプは下通孔を貫いている。
【課題を解決するための手段】
【００１１】
請求項１の考案は、線形レールの循環装置であって、当該線形レールの滑座に装着され、滑座の両側にはそれぞれ上通孔と下通孔があり、当該の循環装置は、
複数の上循環構造であって、それぞれ当該上通孔の両端に設け、すべての当該上循環構造はいずれも上仕切り板を包括し、当該の上仕切り板の両端はそれぞれ第一上半パイプは上保持器まで伸びており、当該第一上半パイプは当該上通孔で取り付けられた、上記複数の上循環構造と、
複数の中縦貫構造であって、それぞれ当該上通孔の両端に設け、すべての当該中循環構造はいずれも中仕切り板を包括し、当該の中仕切り板の両端はそれぞれ第一下半パイプと第二上半パイプまで伸びており、当該中仕切りのもう一方は中保持器まで伸びており、当該第一下半パイプと当該の第二上半パイプはそれぞれ当該上通孔と当該下通孔で取付けられている、上記複数の中縦貫構造と、
複数の下循環構造であって、それぞれ当該下通孔の両端に設け、すべての当該下循環構造はいずれも下仕切り板を包括し、当該の下仕切り板の両端はそれぞれ第一下半パイプは下保持器まで伸びており、当該第二下半パイプは当該下通孔で取り付けられている、上記複数の下循環構造と、
第一端カバーであって、当該滑座の一端に設けられ、当該上循環構造、当該中循環構造と当該下循環構造に固定される、上記第一端カバーと、
第二端カバーであって、当該滑座のもう一端に設けられ、当該上循環構造、当該中循環構造、当該下循環構造に固定する、上記第二端カバーと、
複数のチェーンであって、それぞれ当該上通孔と当該下通孔の当該上循環構造をつなぎ、当該中循環構造と当該下循環構造を連結する、上記複数のチェーンと、
を包含したことを特徴とする、線形レールの循環装置としている。
請求項２の考案は、請求項１記載の線形レールの循環装置において、当該複数の上循環構造が第一上循環構造、第二上循環構造、第三上循環構造と第四上循環構造を包含し、当該第一上循環構造と第二上循環構造は当該上通孔の一端に接続され、当該第三上循環構造と第四上循環構造は当該上通孔のもう一方に接続されたことを特徴とする、線形レールの循環装置としている。
請求項３の考案は、請求項２記載の線形レールの循環装置において、そのうち第一上循環構造と第二上循環構造の当該第一上半パイプと当該上保持器に固定槽が設けられ、当該第三上循環構造と第四上循環構造に当該第一上半パイプと当該上保持器に対応して少なくとも一つの固定柱が設けられ、当該固定柱が固定槽に挿入されることを特徴とする、線形レールの循環装置としている。
請求項４の考案は、請求項１記載の線形レールの循環装置において、そのうち当該複数の中循環構造が第一中循環構造、第二中循環構造、第三中循環構造と第四中循環構造を包含し、当該第一中循環構造と第二中循環構造は当該の上通孔と当該の下通孔の一端に設けられ、当該中第三循環構造と当該第四中循環構造は当該上通孔と当該下通孔のもう一方に接続されることを特徴とする、線形レールの循環装置としている。
請求項５の考案は、請求項４記載の線形レールの循環装置において、そのうち当該第一中循環構造が第二中循環構造の当該第一下半パイプ、当該第二上半パイプと当該中保持器を包含し、それぞれ少なくとも固定槽が設けられ、当該第三中循環構造と第四中循環構造に当該第一下半パイプ、当該第二上半パイプと当該中保持器に対応する少なくとも一つの固定柱が設けられ、当該固定柱は固定槽に挿入されることを特徴とする、線形レールの循環装置としている。
請求項６の考案は、請求項１記載の線形レールの循環装置において、そのうち当該複数の下循環が第一下循環構造、第二下循環構造、第三下循環構造と第四下循環構造を包含し、当該第一下循環構造と第二下循環構造は当該下通孔の一端に接続され、当該第三下循環構造と当該第四下循環構造は当該下通孔のもう一方に接続されたことを特徴とする、線形レールの循環装置としている。
請求項７の考案は、請求項６記載の線形レールの循環装置において、そのうち当該第一下循環構造が第二下循環構造の当該第一下半パイプ、当該下保持器を包含し、それぞれ固定槽が設けられ、当該第三下循環構造と第四下循環構造に当該第二下半パイプと当該下保持器に対応して少なくとも一つの固定柱が設けられ、当該固定柱は固定槽に挿入されることを特徴とする、線形レールの循環装置としている。
請求項８の考案は、請求項１記載の線形レールの循環装置において、そのうち当該中循環構造の当該中仕切り板が下誘導板を包含し、当該下誘導板は上誘導板にまで伸びており、当該下誘導板と当該上誘導板の一端はそれぞれ当該第一下半パイプと第二上半パイプにまで伸び、当該下誘導板と当該上誘導板のもう一端は当該中保持器にまで伸びていることを特徴とする、線形レールの循環装置としている。
請求項９の考案は、請求項１記載の線形レールの循環装置において、そのうち当該端カバーと当該第二端カバーにそれぞれ複数の容置槽が設けられ、それぞれ当該上仕切り板、当該中仕切り板と当該下仕切り板が設置されたことを特徴とする、線形レールの循環装置としている。
請求項１０の考案は、請求項１記載の線形レールの循環装置において、そのうち第一端カバーと第二端カバーにそれぞれ複数の上限位槽と複数の下限位槽が設けられ、当該複数の上循環構造の当該上保持器の両端がそれぞれ第一端カバーと当該第二端カバーの当該上限位槽と当該の複数下循環構造の当該下保持器の両端に接続され、それぞれ第一端カバーと当該第二端カバーの当該下限位槽に挿入されることを特徴とする、線形レールの循環装置としている。
請求項１１の考案は、請求項１記載の線形レールの循環装置において、そのうち当該第一端カバー、当該第二端カバー、当該中循環構造と当該滑座にそれぞれ少なくとも一つのネジ孔が設けられ、複数のネジでネジ孔に固定され、第一端カバー、第二端カバーと当該中循環構造がネジで当該滑座に接続されたことを特徴とする、線形レールの循環装置としている。
請求項１２の考案は、請求項１記載の線形レールの循環装置において、そのうち当該第一端カバーと当該第二端カバーの外側にそれぞれ防塵板が設けられたことを特徴とする、線形レールの循環装置としている。
請求項１３の考案は、請求項１記載の線形レールの循環装置において、そのうち当該上循環構造の当該上仕切り板、当該第一上半パイプと当該保持器は一体成形で、当該中循環構造の当該中仕切り板と当該第一下半パイプ、当該第二上半パイプと当該中保持器は一体成形で、当該下循環構造の当該下仕切り、当該第二下半パイプと当該下保持器は一体成形となっていることを特徴とする、線形レールの循環装置としている。
【考案の効果】
【００１２】
本考案の主な目的は、線形レールの循環装置の一種を提供することで、そのチェーンの曲がる箇所において組み合わせ断面差をなくし、チェーンの運動時に運動不順や断裂の問題が生じるのを回避し、線形レールの使用効率を増加させる。
【考案を実施するための最良の形態】
【００１３】
図３と図４を参照されたし。これは本考案の実施例の立体図と分解図：図が示すとおり、本考案の線形レールの循環装置は、レール５５に滑座６０が設けられ、滑座６０の両側にはそれぞれ上通孔６２，６３と下通孔６５，６６があり、本考案の循環装置は複数の上循環構造、複数の中循環構造、複数の下循環構造を包括している。第一端カバー１４０と第二端カバー１５０は、複数の上循環構造、複数の中循環構造と複数の下循環構造に上通孔６２，６３と下通孔６５，６６を貫いており、複数の中循環構造と複数の下循環構造にはチェーン１６０が設けられている。第一端カバー１４０と第二端カバー１５０は滑座６０の両端に設けられており、上循環構造、中循環構造とした循環構造に固定されている。
【００１４】
複数の上循環構造は第一上循環構造７０、第二上循環構造７５、第三上循環構造８０と第四上循環構造８５を包括しており、第一上循環構造７０と第二上循環構造７５はそれぞれ滑座６０の両側の上通孔６２，６３の一端に設けられ、第三上循環構造８０と第四上循環構造８５はそれぞれ上通孔６２、６３のもう一端にある。また第一循環構造７０と第二循環構造７５はそれぞれ滑座１０の張側の一端にあり、また第三上循環構造８０と第四上循環構造８５は滑座６０のもう一端に設けられている。
【００１５】
上循環構造７０、７５、８０、８５はそれぞれ上仕切り板７１、７６、８１、８６が包括され、上仕切り板７１、７６、８１、８６の両端はそれぞれ第一上半パイプ７２、７７、８２、８７と上保持器７３、７８、８３、８８にまで伸びており、すなわち上仕切り板７１、７６、８１、８６がそれぞれ第一上半パイプ７２、７７、８２、８７と上保持器７３、７８、８３、８８が一体を形成し、第一上半パイプ７２、７７、８２、８７はそれぞれ上通孔６２、６３の両端に貫かれており、上循環構造７０、７５の第一上半パイプ７２、７７と上保持器７３、７８にそれぞれ固定槽７２３、７７３、７３３、７８３（図６の示すとおり）がもうけられており、上循環構造８０、８５に固定柱８２３、８７３、８３３、８８３（図８の示すとおり）が設けられおり、固定柱８２３、８７３、８３３、８８３は固定槽７２３、７７３、７３３、７８３に挿入されている。
【００１６】
複数の中循環構造には第一中循環構造９０、第二中循環構造９８、第三中循環構造１０５と第四中循環構造１１２を包括しており、第一中循環構造９０はそれぞれ滑座１０とその横の上通孔６２と下通孔６５の一端に設けられ、第二中循環構造９８には滑座１０が設けられ、もう一方の上通孔６３と下通孔６６の一端に設けられ、第一中循環構造９０と第二中循環構造９８は滑座１０の端に設けられ、また第一上循環構造７０と第二上循環構造７５と配合する。上述のように第三中循環構造１０５と第四中循環構造１１２にはそれぞれ滑座１０の両側に上通孔６２、６３と下通孔６５，６６のもう一方に設けられている。すなわち滑座１０のもう一端と第三上循環構造８０と第三上循環構造８５は配合する。
【００１７】
このほかに、中循環構造９０、９８，１０５、１１２はそれぞれ中仕切り板９１、９９、１０６、１１３を包括しており、中仕切り板９１，９９、１０６、１１３はそれぞれ下誘導板９２、１００、１０７，１１３を包括しており、下誘導板９２、１００，１０７，１１４はそれぞれ上誘導板９３、１０１，１０８，１１５に延伸している。すなわち下誘導板９２、１００、１０７、１１４と上誘導板９３，１０１、１０８，１１５は一体を形成しており、下誘導板９２、１００、１０７，１１４はそれぞれ上仕切り板７１、７６、８１，８６と配合し、また下誘導板９２、１００、１０７，１１４の一端はそれぞれ第一下半パイプ９４、１０２，１０９、１１６に伸びており、第一下半パイプ９４，１０２はそれぞれ上通孔６２，６３の一端まで貫いており、第一上半パイプ７２，７７と配合しており、第一下半パイプ１０９，１１６は上通孔６２，６３のもう一端までを貫いており、第一上半パイプ８２，８７は配合する。
【００１８】
上誘導板９２，１０１、１０８，１１５の一端はそれぞれ第二上半パイプ９５，１０３，１１０，１１７にまで延伸し、下誘導板９２，１００，１０７、１１４と上誘導板９３，１０１，１０８、１１５のもう一端のあいだに延伸し中保持器９６、１０４，１１１，１１８を設けており、中仕切り板９１，９９．１０６、１１３はそれぞれ第一下半パイプ９４，１０２，１０９，１１６と第二上半パイプ９５，１０３、１１０，１１７および中保持器９６，１０４，１１１，１１８で一体を形成している。このほかに中循環構造９０，９８の第一下半パイプ９４，１０２と第二上半パイプ９５、１０３および中保持器９６，１０４はそれぞれ固定槽９４３，１０２３，９５３，１０３３，９６３、１０４３（図６の示す通り）で、中循環構造１０５，１１２の第一下半パイプ１０９，１１６と第二上半パイプ１１０、１１７および中保持器１１１，１１８は相対して固定柱１０９３，１１６３，１１０３，１１７３，１１１３を有しており（図８の示すとおり。第四中循環構造１１２の中保持器１１８の固定柱は提示していない）、相配合している。
【００１９】
複数の下循環構造には第一下循環構造１２０、第二下循環構造１２５、第三中循環構造１３０と第四中循環構造１３５を包括しており、第一中循環構造１２０と第二中循環構造１２５の側にはそれぞれ滑座１０が両側の下通孔６５、６６の一端にそれぞれ設けられている。また第三下循環構造１３０と第四下循環構造１３５にはそれぞれ下通孔６５、６６のもう一端に設けられている。また第一下循環構造１２０と第二下循環構造１２５はそれぞれ滑座１０の両側の一端にあり、それぞれ第一中循環構造９０と第二中循環構造９８と配合しており、第三下循環構造１２５と第四下循環構造１３０は滑座６０の両側のもう一方に貫かれており、また第三中循環構造１０５と第四中循環構造１１２は相配合している。
【００２０】
下循環構造１２０，１２５、１３０、１３５はそれぞれ下仕切り板１２１，１２６，１３１，１３６を包括している。下仕切り板１２１，１２６、１３１、１３６はそれぞれ上誘導板９３，１０１，１０８、１１５，１３１，１３６と配合している。このほかに下仕切り板１２１，１２６、１３１，１３６の両端にはそれぞれ第二下半パイプ１２３、１２７，１３２，１３７が伸びており、下保持器１２３、１２８．１２８．１３３，１３８と対応している。すなわち下仕切り板１２１，１２６、１３１、１３６はそれぞれ第二下半パイプ１２２、１２７，１３２，１３７および下保持器１２３、１２８、１３３，１３８は一体を形成している。
【００２１】
第二下半パイプ１２２，１２７はそれぞれ滑座６０の両側の下通孔６５，６６の一端とつながっており、滑座６０の一端に設けられ、また第一、第二上半パイプ９５、１０３と配合し、また第二下半パイプ１３２、１３７は上述の通り、それぞれ下通孔６５、６６のもう一端と第二上半パイプ１１０，１１７にあい配合し、下循環構造１２３，１２８はそれぞれ固定槽１２２３，１２７３，１２３３、１２８３を設けている（図６の示す通り）。また下循環構造１３０，１３５の第二下半パイプ１３２，１３７と下保持器１３３，１３８は固定柱１３２３、１３７３、１３３３、１３８３（図８に示すとおり）と相対している。
【００２２】
第一端カバー１４０は上限位槽１４１，１４２と下限位槽１４３、１４４にも受けられており、図５が示す通りで、上循環構造７０、７５の上保持器７３，７８の一端と下循環構造１２０、１２５の下保持器１２３，１２８の一端はそれぞれ第一端カバー１４０の上限位層１４１，１４２と下限位槽１４３、１４４に挿入されており、また第二端カバー１５０は第一端カバー１４０と相対しており、二つの上限位槽と二つの下限位槽があり、上循環構造８０、８５の上保持器８３、８８の一端と下循環構造１３０、１３５の下保持器１３３、１３８の一端に挿入する。
【００２３】
第一端槽１４０はさらに上容置槽１４５、１４６と下容置槽１４７と１４８に設けられ、上容置槽１４５は第一上循環構造７０の上仕切り板７１と第一中循環構造９０の下誘導板９２に置かれており、上容置槽１４６は第二上循環構造７５の上仕切り板７６と第二中循環構造９８の下誘導板１００に置かれ、下容置槽１４７は第一中循環構造９０の上誘導板９３と第一下循環構造１２０の下仕切り板１２１に置かれ、下容置槽１４８は第二中循環構造９８の上誘導板１０１と第二下循環構造１２５の下仕切り板１２６に置かれている。
【００２４】
また第二端カバー１５０は第一端カバー１４０と同じく二つの上容置槽と二つの下容置槽二相対しており、それぞれ第三上循環構造８０の上仕切り板８１と第三中循環構造１０５の下誘導板１０７、第四上循環構造８５の上仕切り板８６と第四中循環構造１１２の下誘導板１１４、第三中循環構造１０５の上誘導板１０８と第三下循環構造１３０の下仕切り板１３１、第四中循環構造１１２の上誘導板１１５と第四下循環構造１３５の下仕切り板１３６を置いている。
【００２５】
このほかに、端カバー１４０、１５０は中循環構造９０、９８、１０５，１１２および滑座６０はそれぞれ少なくとも一つのネジ孔６８があり、複数のネジによってネジ孔にとめられ、端カバー１４０、１５０は中循環構造９０、９８、１０５、１１２のネジで滑座１０の両端に設けられる。このようにして、しっかりと固定された循環装置は滑座６０に設置され、このほかの端カバー１４０，１５０のほかはそれぞれ第一防塵板１７０と第二防塵板１８０を設け、第一防塵板１７０，１８０もそれぞれネジ孔１７５，１８５で端カバー１４０，１５０にそれぞれ固定される。
【００２６】
図６から図９までをあわせて参照ください。本考案の実施例のための組み合わせステップを示した図である：本捜索の循環装置を滑座６０に装着する時、まず図６の示すとおり、それぞれ第一中循環構造９０と第二中循環構造９８において、滑座６０の両側の上通孔６２、６３と下通孔６５、６６まで貫き、その後、それぞれ第一上循環構造７０、第二上循環構造７５にそれぞれ上通孔６２，６３まで貫き、第一下循環構造１２０と第二下循環構造１２３をそれぞれ下通孔６５，６６にまで貫く。その後、図７に示したとおり、第一端カバー１４０を滑座６０の一端に固定し、第一上循環構造７０、第二上循環構造７５、第一中循環構造９０、第二中循環構造９８、第一下循環構造１２０と第二下循環構造１２３を固定する。
【００２７】
続いて、図８で示すとおり、滑座６０のもう一端の上通孔６２、６３と下通孔６５，６６をそれぞれチェーン１６０で第一上循環構造７０、第二上循環構造７５、第一中循環構造９０、第二中循環構造９８、第一下循環構造１２０そして第二下循環構造１２５につなぐ。それから、それぞれ第三上循環構造８０、第三中循環構造１０５と第三下循環構造１３０を一体とする（図９で示す通り）。また一体に組成する方法は粘着方式、あるいは、それぞれ第三上循環構造８０、第三中循環構造１０５と第三下循環構造１３０に相対する固定柱と固定槽に固定するものとする。固定柱は固定槽に差込、第三上循環構造８０、第三赤循環構造１０５と再三下循環構造１３０を一体に組成し、第四上循環構造８５、第四中循環構造１１２と第四下循環構造１３５も同じく上述のように一体にする（図９に示すとおり）。
【００２８】
つづいて、図９の示すとおり、一帯に組成した第三上循環構造８０、第三中循環構造１０５、第三下循環構造１４０と第四上循環構造８５、第四中循環構造１１２、第四下循環構造１３５について、それぞれ上通孔６２，６３と下通孔６５，６６を開け、複数のチェーン１６０でそれぞれ第三上循環構造８０、第三中循環構造１０５、第三下循環構造１３０と第四上循環構造８５、第四名循環構造１１２、第四下循環構造１３５をつなげ、また第三上循環構造８０と第三中循環構造１０５、第三下循環構造１３０の固定柱８２３、８３３、１０９３、１１０３、１１１３、１３２３、１３３３を結合させる（図８を参照）。それぞれ第一上循環構造７０、第一中循環構造９０、第一下循環構造１２０の固定槽７２３、７３３，９４３，９５３，９６３、１２２３、１２３３（図６を参照されたし）と一体組成する。
【００２９】
また、第四上循環構造８６、第四中循環構造１１２、第四下循環構造１３５の固定柱８７３、８８３、１１６３、１１７３、１３７３、１３８３（図８、第四中循環構造１１２の中保持器１１８の固定柱の図を参照されたし）については、それぞれ第二上循環構造７５、第二中循環構造９８、第二下循環構造１２５に相対応する固定槽７７３、７８３、１０２３、１０３３、１０４３、１２７３、１２８３（図６を参照する）と一体を組成させる。
【００３０】
このほか、チェーン１６０が上述の組成で発生するわずかなねじれでチェーン１６０を運転させる時、不順の問題を発生することを回避するため、上述の組成を完了した後、引っ張り動く場所をレール５５の場所の部分のチェーン１６０につなぎ、チェーン１６０の位置を招請する。このようにすれば上述の問題を解決でき、チェーン１６０の運動時の順調さも向上させることができる。
【００３１】
その後、図１０が示すとおり、第二端カバー１５０は滑座６０二個停止、第三上循環構造８０、第四上循環構造８５、第三中循環構造１０５、第四中循環構造１１２、第三下循環構造１３０と第四下循環構造１３５を固定し、続いて再び第一防塵板１７０と第二防塵板１８０にそれぞれ第一端カバー１４０と第二端カバー１５０を固定する。
【００３２】
以上述べたことを総合すると、本考案の循環装置には複数の上循環構造、複数の中循環構造と複数の下循環構造が包括され、それぞれ滑座の両側の孔の両端につながれ、滑座の両端にもうけられ、全ての循環構造はいずれも仕切り板、半パイプと保持器を包括しており一体を形成している。このように保持器と仕切り板のあいだには組み合わせ断面格差の問題は存在せず、特にチェーンの曲がる箇所には組み合わせ断面差は生じず、このためチェーンの運動時の順調さを抗争させ、チェーンの断裂発生も防ぐことができる。また装着時に複数の上循環構造、複数の中循環構造と複数の下循環構造をそれぞれ滑座の両端に挿入して相互に配合させればよく、装着は簡単で生産効率を大幅に引き揚げることができる。
【図面の簡単な説明】
【００３３】
【図１】周知の線形レールの分解図。
【図２】周知の循環装置の局部拡大図。
【図３】本考案の実施例の立体図。
【図４】本考案の実施例の分解図。
【図５】本考案の実施例の上循環構造、中循環構造、下循環構造と端カバーの装着図。
【図６】本考案の組み立てステップの装着図。
【図７】本考案の組み立てステップの装着図。
【図８】本考案の組み立てステップの装着図。
【図９】本考案の組み立てステップの装着図。
【図１０】本考案の組み立てステップの装着図。
【符号の説明】
【００３４】
１０  滑座
１２、１４  上通孔
１６、１８  下通孔
２１  第一仕切り板パイプ
２２  第二仕切り板パイプ
２３  第三仕切り板パイプ
２４  第四仕切り板パイプ
２５  仕切り板
２６  半パイプ
２７、２９  中限位槽
３２  上保持器
３３  第一中保持器
３４  第二中保持器
３５  第一下保持器
３６  第二下保持器
４１  第一端カバー
４２  第二端カバー
４３、４４  下限位槽
４５、４６  上限位槽
５０  チェーン
５５  レール
６０  滑座
６２、６３  上通孔
６５、６６  下通孔
６８  ネジ孔
７０  第一上循環構造
７１  上仕切り板
７２  第一上半パイプ
７２３  固定槽
７３  上保持器
７３３  固定槽
７５  第二上循環構造
７６  上仕切り板
７７  第一上半パイプ
７７３  固定槽
７８  上保持器
７８３  固定槽
８０  第三上循環構造
８１  上仕切り板
８２  第一上半パイプ
８２３  固定柱
８３  上保持器
８３３  固定柱
８５  第四上循環構造
８６  上仕切り板
８７  第一上半パイプ
８７３  固定柱
８８  上保持器
８８３  固定柱
９０  第一中循環構造
９１  中仕切り板
９２  下誘導板
９３  上誘導板
９４  第一下半パイプ
９４３  固定槽
９５  第二上半パイプ
９５３  固定槽
９６  中保持器
９６３  固定槽
９８  第二中循環構造
９９  中仕切り板
１００  下誘導板
１０１  上誘導板
１０２  第一下半パイプ
１０２３  固定槽
１０３  第二上半パイプ
１０３３  固定槽
１０４  中保持器
１０４３  固定槽
１０５  第三中循環構造
１０６  中仕切り板
１０７  下誘導板
１０８  上誘導板
１０９  第一下半パイプ
１０９３  固定柱
１１０  第二上半パイプ
１１０３  固定柱
１１１  中保持器
１１１３  固定柱
１１２  第四中循環構造
１１３  中誘導板
１１４  下誘導板
１１５  上誘導板
１１６  第一下半パイプ
１１６３  固定柱
１１７  第二上半パイプ
１１７３  固定柱
１１８  中保持器
１２０  第一した循環構造
１２１  下仕切り板
１２２  第二下半パイプ
１２２３  固定槽
１２３  下保持器
１２３３  固定槽
１２５  第二下循環構造
１２６  下仕切り板
１２７  第二下半パイプ
１２７３  固定槽
１２８  下保持器
１２８３  固定槽
１３０  第三下循環構造
１３１  下仕切り板
１３２  第二下半パイプ
１３２３  固定柱
１３３  下保持器
１３３３  固定柱
１３５  第四下循環構造
１３６  下仕切り板
１３７  第二下半パイプ
１３７２  固定柱
１３８  下保持器
１３８３  固定柱
１４０  第一端カバー
１４１  上限位槽
１４２  上限位槽
１４３  下限位槽
１４４  下限位槽
１４５  上容置槽
１４６  上容置槽
１４７  下容置槽
１４８  下容置槽
１５０  第二端カバー
１６０  チェーン
１７０  第一防塵板
１７５  ネジ孔
１８０  第二防塵板
１８５  ネジ孔
【図１】
0003118083.tif 000003
【図２】
0003118083.tif 000004
【図３】
0003118083.tif 000005
【図４】
0003118083.tif 000006
【図５】
0003118083.tif 000007
【図６】
0003118083.tif 000008
【図７】
0003118083.tif 000009
【図８】
0003118083.tif 000010
【図９】
0003118083.tif 000011
【図１０】
0003118083.tif 000012